(57)【要約】【課題】熱効率を向上させることができると共に使い勝手が良い屋外設置設備用ケースを得ること、更に防犯性を向上させることができる屋外設置設備用ケースを得ることが目的である。【解決手段】室外機１２は空調室外機ケース１０によって覆われている。空調室外機ケース１０は開閉可能なカバー２８を備えており、更にカバー２８の前面部には開度を変更可能な下部スラット３８が又カバー２８の上面部には開度を変更可能な上部スラット４０がそれぞれ配設されている。従って、季節や昼夜の別によって、下部スラット開閉用ツマミ４２、上部スラット開閉用ツマミ４３をそれぞれ回転させることにより、室外機１２への直射日光を遮ったり、室外機１２からの放熱を促進させたりすることができる。【選択図】図３
2010101607.tif 000002
【特許請求の範囲】
【請求項１】
建物に付随して屋外に設置されると共に熱交換する屋外設置設備の少なくとも一部を覆うように配置されるケース本体と、
前記ケース本体に開閉可能に設置されると共に開閉することによりケース本体の内外を連通する開口面積を変更する開閉体を含んで構成され、開閉体の開閉量に応じて屋外設置設備への日射量或いは屋外設置設備からの放熱量を変更する日射量・放熱量増減手段と、
を備えた屋外設置設備用ケース。
【請求項２】
前記日射量・放熱量増減手段は、
前記開閉体の開閉量を調節する操作手段と、
前記開閉体と操作手段とを連結し、操作手段に付与された操作力を開閉体に伝達する駆動機構と、
を含んで構成されている、
ことを特徴とする請求項１記載の屋外設置設備用ケース。
【請求項３】
前記日射量・放熱量増減手段は、
少なくとも外気温と前記ケース本体の表面温度とを検出する検出手段と、
前記開閉体を開閉させるための駆動源と、
前記開閉体と駆動源とを連結し、駆動源からの駆動力を開閉体に伝達する駆動機構と、
前記検出手段からの入力信号に基づいて前記駆動源の駆動を制御する制御手段と、
を含んで構成されている、
ことを特徴とする請求項１記載の屋外設置設備用ケース。
【請求項４】
前記屋外設置設備はエアコンの室外機であり、
前記制御手段は、冷房運転時には前記開閉体を日射を遮る方向へ移動させ、暖房運転時には前記開閉体を日射を取り込む方向へ移動させる、
ことを特徴とする請求項３記載の屋外設置設備用ケース。
【請求項５】
前記制御手段は、冷房運転時でかつ昼間には前記開閉体を日射を遮る方向へ移動させると共に夜間には前記開閉体を室外機からの放熱を促す方向へ移動させ、暖房運転時でかつ昼間には前記開閉体を日射を取り込む方向へ移動させると共に夜間には前記開閉体を室外機からの放熱を防ぐ方向へ移動させる、
ことを特徴とする請求項４記載の屋外設置設備用ケース。
【請求項６】
前記開閉体、前記駆動源、前記駆動機構のうち少なくとも開閉体は複数設けられており、
前記制御手段は、冷房運転時でかつ昼間には、前記開閉体のうち日射が直接当たる部分に配置された開閉体のみを日射を遮る方向へ移動させ、残りの開閉体は室外機からの放熱を促す方向へ移動させる、
ことを特徴とする請求項５記載の屋外設置設備用ケース。
【請求項７】
前記開閉体の開閉量調節制御は、前記屋外設置設備を含んで構成されたシステムの電源又は運転スイッチに基づいて行われる、
ことを特徴とする請求項３〜請求項６のいずれか１項に記載の屋外設置設備用ケース。
【請求項８】
前記ケース本体には施錠手段が設けられている、
ことを特徴とする請求項１〜請求項７のいずれか１項に記載の屋外設置設備用ケース。
【発明の詳細な説明】
【技術分野】
【０００１】
本発明は、建物に付随して屋外に設置される屋外設置設備に用いられる屋外設置設備用ケースに関する。
【背景技術】
【０００２】
下記特許文献１には、エアコンの室外機のカバーが開示されている。簡単に説明すると、この先行技術では、断面形状がＬ字状とされた夏期用カバーと、断面形状がコ字状とされた冬期用カバーとが予め用意されている。そして、夏期にはブラケットを用いて室外機に夏期用カバーを装着させることで、直射日光を遮り、室外機の熱効率を向上させる。一方、冬期には夏期用カバーを取り外して、ブラケットを用いて室外機に冬期用カバーを装着させることで、外気で室外機が冷却されるのを防ぎ、室外機の熱効率を向上させる。
【特許文献１】特開２００６−２９７２８号公報
【発明の開示】
【発明が解決しようとする課題】
【０００３】
しかしながら、上記先行技術による場合、夏期と冬期とで夏期用カバーと冬期用カバーとを付け替える必要があるため、使い勝手が悪いという欠点がある。
【０００４】
また、昨今では、室外機に使われている金属を目的とした盗難が増えており、防犯性を高める必要もある。
【０００５】
本発明は上記事実を考慮し、熱効率を向上させることができると共に使い勝手が良い屋外設置設備用ケースを得ることを第１の目的とし、更に防犯性を向上させることができる屋外設置設備用ケースを得ることが第２の目的である。
【課題を解決するための手段】
【０００６】
請求項１の発明に係る屋外設置設備用ケースは、建物に付随して屋外に設置されると共に熱交換する屋外設置設備の少なくとも一部を覆うように配置されるケース本体と、前記ケース本体に開閉可能に設置されると共に開閉することによりケース本体の内外を連通する開口面積を変更する開閉体を含んで構成され、開閉体の開閉量に応じて屋外設置設備への日射量或いは屋外設置設備からの放熱量を変更する日射量・放熱量増減手段と、を備えている。
【０００７】
請求項２の発明は、請求項１記載の屋外設置設備用ケースにおいて、前記日射量・放熱量増減手段は、前記開閉体の開閉量を調節する操作手段と、前記開閉体と操作手段とを連結し、操作手段に付与された操作力を開閉体に伝達する駆動機構と、を含んで構成されている、ことを特徴としている。
【０００８】
請求項３の発明は、請求項１記載の屋外設置設備用ケースは、前記日射量・放熱量増減手段は、少なくとも外気温と前記ケース本体の表面温度とを検出する検出手段と、前記開閉体を開閉させるための駆動源と、前記開閉体と駆動源とを連結し、駆動源からの駆動力を開閉体に伝達する駆動機構と、前記検出手段からの入力信号に基づいて前記駆動源の駆動を制御する制御手段と、を含んで構成されている、ことを特徴としている。
【０００９】
請求項４の発明は、請求項３記載の屋外設置設備用ケースにおいて、前記屋外設置設備はエアコンの室外機であり、前記制御手段は、冷房運転時には前記開閉体を日射を遮る方向へ移動させ、暖房運転時には前記開閉体を日射を取り込む方向へ移動させる、ことを特徴としている。
【００１０】
請求項５の発明は、請求項４記載の屋外設置設備用ケースにおいて、前記制御手段は、冷房運転時でかつ昼間には前記開閉体を日射を遮る方向へ移動させると共に夜間には前記開閉体を室外機からの放熱を促す方向へ移動させ、暖房運転時でかつ昼間には前記開閉体を日射を取り込む方向へ移動させると共に夜間には前記開閉体を室外機からの放熱を防ぐ方向へ移動させる、ことを特徴としている。
【００１１】
請求項６の発明は、請求項５記載の屋外設置設備用ケースにおいて、前記開閉体、前記駆動源、前記駆動機構のうち少なくとも開閉体は複数設けられており、前記制御手段は、冷房運転時でかつ昼間には、前記開閉体のうち日射が直接当たる部分に配置された開閉体のみを日射を遮る方向へ移動させ、残りの開閉体は室外機からの放熱を促す方向へ移動させる、ことを特徴としている。
【００１２】
請求項７の発明は、請求項３〜請求項６のいずれか１項に記載の屋外設置設備用ケースにおいて、前記開閉体の開閉量調節制御は、前記屋外設置設備を含んで構成されたシステムの電源又は運転スイッチに基づいて行われる、ことを特徴としている。
【００１３】
請求項８の発明は、請求項１〜請求項７のいずれか１項に記載の屋外設置設備用ケースにおいて、前記ケース本体には施錠手段が設けられている、ことを特徴としている。
【００１４】
請求項１記載の本発明によれば、建物に付随して屋外に設置されると共に熱交換する屋外設置設備の少なくとも一部がケース本体によって覆われている。
【００１５】
ここで、本発明では、ケース本体に開閉体が開閉可能に設けられており、日射量・放熱量増減手段によって開閉体の開閉量が変更される。これにより、開閉体の開閉量に応じて屋外設置設備への日射量が変更され、或いは屋外設置設備からの放熱量が変更される。従って、外部環境に合わせて熱効率の良い調整が可能となる。しかも、屋外設置設備用ケースを外部環境に合わせて取り替える必要もない。
【００１６】
請求項２記載の本発明によれば、操作手段によって開閉体の開閉量が調節されると、その際の操作力が駆動機構によって開閉体に伝達される。これにより、開閉体が指示された開閉量まで開閉される。すなわち、本発明では、開閉体の開閉量の調整が手動で行われる。
【００１７】
請求項３記載の本発明によれば、検出手段によって、少なくとも外気温とケース本体の表面温度が検出手段によって検出される。検出された信号は制御手段に入力される。制御手段では、その入力信号に基づいて、駆動源の駆動を制御する。駆動源の駆動力は駆動機構に伝達され、最終的には開閉体に伝達される。これにより、開閉体が所定の開閉量に調節される。すなわち、本発明では、開閉体の開閉が自動で行われる。
【００１８】
請求項４記載の本発明によれば、冷房運転時には、制御手段によって開閉体は日射を遮る方向へ移動される。従って、室外機が直射日光を受けて高温になるのを抑制することができる。一方、暖房運転時には、制御手段によって開閉体は日射を取り込む方向へ移動される。従って、室外機は直射日光を受けて温められ、外気に晒されて低温になることが抑制される。
【００１９】
請求項５記載の本発明によれば、冷房運転時でかつ昼間には、制御手段によって開閉体は日射を遮る方向へ移動される。従って、室外機が昼間の直射日光を受けて高温になるのを抑制することができる。さらに、冷房運転時でかつ夜間には、制御手段によって、開閉体は室外機からの放熱を促す方向へ移動される。従って、室外機は夜間のうちに充分放熱することができる。
【００２０】
一方、暖房時でかつ昼間には、制御手段によって開閉体は日射を取り込む方向へ移動される。従って、室外機は直射日光を受けて温められ、外気に晒されて低温になることが抑制される。さらに、暖房時でかつ夜間には、制御手段によって、開閉体は室外機からの放熱を防ぐ方向へ移動される。従って、室外機が夜間に外気によって過度に冷却されることを防ぐことができる。
【００２１】
請求項６記載の本発明によれば、冷房運転時でかつ昼間には、制御手段によって、開閉体のうち日射が直接当たる部分に配置された開閉体のみが日射を遮る方向へ移動され、残りの開閉体は室外機からの放熱を促す方向へ移動される。このため、直射日光によって室外機が過度に温められることを防ぎつつ、放熱作用も充分に得られる。
【００２２】
請求項７記載の本発明によれば、開閉体の開閉量制御は、屋外設置設備を含んで構成されたシステムの電源又は運転スイッチのオン・オフに基づいて行われるので、電源又は運転スイッチの操作とは別個に開閉体の開閉量制御スイッチを設定する場合に比し、操作の手間が省けると共に開閉体の開閉量制御スイッチの押し忘れがなくなる。
【００２３】
請求項８記載の本発明によれば、ケース本体には施錠手段が設けられているので、室屋外設置設備が盗難され難くなる。
【発明の効果】
【００２４】
以上説明したように、請求項１記載の本発明に係る屋外設置設備用ケースは、屋外設置設備の熱効率を向上させることができると共に使い勝手が良いという優れた効果を有する。
【００２５】
請求項２記載の本発明に係る屋外設置設備用ケースは、操作手段の操作力を駆動機構によって開閉体に機械的に伝達するので、構造がシンプルになり、故障し難いという優れた効果を有する。
【００２６】
請求項３記載の本発明に係る屋外設置設備用ケースは、制御手段によって開閉体の開閉量が制御されるので、開閉体の開度調節を手動で行う場合に比し、操作者への負担がなく、屋内から操作可能とすることも可能であるので、利便性を向上させることができるという優れた効果を有する。
【００２７】
請求項４記載の本発明に係る屋外設置設備用ケースは、室外機の熱効率をより向上させることができるという優れた効果を有する。
【００２８】
請求項５記載の本発明に係る屋外設置設備用ケースは、室外機の熱効率をより一層向上させることができるという優れた効果を有する。
【００２９】
請求項６記載の本発明に係る屋外設置設備用ケースは、室外機の熱効率を一段と向上させることができるという優れた効果を有する。
【００３０】
請求項７記載の本発明に係る屋外設置設備用ケースは、操作の手間を省くことができると共にスイッチの押し忘れを防止することができるという優れた効果を有する。
【００３１】
請求項８記載の本発明に係る屋外設置設備用ケースは、防犯性を向上させることができるという優れた効果を有する。
【発明を実施するための最良の形態】
【００３２】
〔第１実施形態〕
【００３３】
以下、図１〜図６を用いて、本発明に係る屋外設置設備用ケースの第１実施形態について説明する。
【００３４】
図１には、空調室外機ケース１０の装着状態の外観斜視図が示されている。また、図２には、空調室外機ケース１０のカバー開放状態の外観斜視図が示されている。これらの図に示されるように、屋外設置設備としての空調用の室外機１２は、敷地内の空きスペース１４に設置されている。例えば、図１に示される例では、ユニット住宅等のユニット建物１６の基礎１８に隣接して室外機１２が載置可能なコンクリート製の台座２０が設けられ、その台座２０の上に室外機１２が設置されている。なお、敷地条件等により空きスペース１４を確保できない場合は、ユニット建物１６の外壁や二階のベランダやバルコニー、屋上がある場合は屋上等に設置される。
【００３５】
上述した室外機１２は、屋外設置設備用ケースとしての空調室外機ケース１０によって覆われている。空調室外機ケース１０は、左右一対の側壁部２２と、前面部及び上面部を構成する開閉可能なカバー２８と、背面部３０と、を備えている。側壁部２２は、側面視で台形状に形成されている。また、一方の側壁部２２の下部には、図示しない室内機に接続されたホース３２の一端部が挿通されている。なお、左右一対の側壁部２２及び背面部３０が本発明における「ケース本体」に相当する。
【００３６】
カバー２８は、平面視でコ字状に形成されると共に側面視でへの字状に形成された外枠フレーム３４を備えている。外枠フレーム３４は、空調室外機ケース１０の前面部及び上面部に相当する大きさに形成されており、開放側の両端部が左右の側壁部２２の上端部に軸支されている。これにより、外枠フレーム３４は、支軸３６回りに回動可能とされ、回動することにより空調室外機ケース１０の前面部及び上面部を開放させることができる。
【００３７】
上記外枠フレーム３４における前面部と対向する略全範囲には、各々短冊状に形成された開閉体としての複数枚の下部スラット３８が取り付けられている。また、外枠フレーム３４における上面部と対向する略全範囲にも、各々短冊状に形成された開閉体としての複数枚の上部スラット４０が取り付けられている。これらの下部スラット３８及び上部スラット４０は、外枠フレーム３４の両側部に各々回動可能に軸支されている。
【００３８】
また、外枠フレーム３４の片側の側部中央には、下部スラット３８の開度を変更するための操作手段としての下部スラット開閉用ツマミ（ダイヤル）４２が配設されている。また、外枠フレーム３４の片側の側部奥側には、上部スラット４０の開度を変更するための操作手段としての上部スラット開閉用ツマミ（ダイヤル）４３が配設されている。下部スラット開閉用ツマミ４２、上部スラット開閉用ツマミ４３を回すと、その回転量に比例して下部スラット３８、上部スラット４０の開度がそれぞれ独立して変更されるようになっている。なお、下部スラット開閉用ツマミ４２、上部スラット開閉用ツマミ４３に与えた回転力を下部スラット３８、上部スラット４０に伝達するための駆動機構の構成は、後述する第２実施形態の説明の中で説明する。
【００３９】
また、空調室外機ケース１０の前面部の下縁部には、帯板状の板材４４が取り付けられている。板材４４の長手方向の中間部には、施錠手段としての錠本体４６が取り付けられている。これに対応して、カバー２８の外枠フレーム３４の閉止端側の中央部には、施錠手段としての鍵挿入部４８が設けられている。カバー２８の閉止状態では、錠本体４６と鍵挿入部４８とが重合するように両者の位置関係が設定されている。そして、鍵挿入部４８を錠本体４６に対応させて鍵４９を挿入して一方向へ回すと施錠され、反対方向へ回すと開錠されるようになっている。さらに、空調室外機ケース１０は図示しない締結固定手段によって台座２０に緊結されており、室外機１２が空調室外機ケース１０ごと盗難されることを防止している。なお、この空調室外機ケース１０の台座２０への緊結構成、即ち締結固定手段も本発明における施錠手段の一つである。例えば、台座２０から埋め込み式のアンカボルトを立設させておく一方で、左右一対の側壁部２２における下端部の前後二箇所にフランジを予めそれぞれ形成しておく。フランジにはボルト挿通孔を形成しておき、当該ボルト挿通孔内へアンカボルトを挿通させ、ナットで緊結する構成等を採用することができる。なお、緊結部は、空調室外機ケース１０の内側に設けるとよい。
【００４０】
さらに、上述したカバー２８の裏面側には、下部スラット３８及び上部スラット４０の長手方向中間部を横断するように棒状の補強バー５０（図２参照）が取り付けられている。この補強バー５０は、仮に下部スラット３８、上部スラット４０が外部から破壊されたとしても室外機１２が盗難されないようにするためのものである。
【００４１】
なお、上記構成において、下部スラット３８、上部スラット４０、下部スラット開閉用ツマミ４２及び上部スラット開閉用ツマミ４３、後述する第２実施形態で説明する駆動機構７６が、本発明における「日射量・放熱量増減手段」に相当する。
【００４２】
（作用・効果）
【００４３】
次に、本実施形態の作用並びに効果について説明する。
【００４４】
図３には、夏期の昼間にエアコンを冷房運転する場合の空調室外機ケース１０の使用態様が示されている。この場合には、下部スラット開閉用ツマミ４２、上部スラット開閉用ツマミ４３をそれぞれ操作することにより、下部スラット３８及び上部スラット４０が所定角度開放される。例えば、図１に示される全閉状態の下部スラット３８及び上部スラット４０の開度を０度とすると、４５度まで開放される。以下、このときの開度を「第１の開度」と称す。第１の開度を何度にするかは任意であるが、第１の開度は概念的には全閉を除いた９０°未満の中間開度といえる。
【００４５】
図３に示されるように、夏期の昼間の強い日射Ａが、下部スラット３８及び上部スラット４０によって反射される。従って、日射Ａが室外機１２に直接照射されるのを防止することができる。このため、室外機１２が直射日光によって高温になることを防止することができ、エアコンの熱効率を高めることができる。また、これにより、省エネ化を図ることができる。なお、下部スラット３８及び上部スラット４０が４５度開いているので、室外機１２からの放熱も適度に行われる。
【００４６】
図４には、夏期の夜間にエアコンを冷房運転する場合の空調室外機ケース１０の使用態様が示されている。この場合には、下部スラット開閉用ツマミ４２、上部スラット開閉用ツマミ４３をそれぞれ操作することにより、下部スラット３８及び上部スラット４０が更に開放される。例えば、図１に示される全閉状態の下部スラット３８及び上部スラット４０の開度を０度とすると、１２０度まで開放される。以下、このときの開度を「第２の開度」と称す。第２の開度を何度にするかは任意であるが、第２の開度は概念的には９０°以上で１８０°未満の中間開度といえる。
【００４７】
上記設定とすることにより、室外機１２からの熱の放射Ｂが促進される。すなわち、夏期の夜間には、強い日射Ａ（図３参照）が室外機１２に照射されることはないので、日射Ａを下部スラット３８及び上部スラット４０で反射する必要はない。そこで、下部スラット３８及び上部スラット４０の開度を上げて、室外機１２からの熱の大気への放射量を増やすようにする。このようにすると、エアコンの熱効率が高められ、省エネ化を図ることができる。
【００４８】
一方、図５には、冬期の昼間にエアコンを暖房運転する場合の空調室外機ケース１０の使用態様が示されている。この場合には、下部スラット開閉用ツマミ４２、上部スラット開閉用ツマミ４３をそれぞれ操作することにより、下部スラット３８及び上部スラット４０が例えば第２の開度に設定される。
【００４９】
上記設定とすることにより、冬期の昼間には、できるだけ日射Ｃを遮らないようにし、室外機１２に日射Ｃが直接照射されるようにする。これにより、エアコンの熱効率が高められ、省エネ化を図ることができる。
【００５０】
また、図６には、冬期の夜間にエアコンを暖房運転する場合の空調室外機ケース１０の使用態様が示されている。この場合には、下部スラット開閉用ツマミ４２、上部スラット開閉用ツマミ４３をそれぞれ操作することにより、下部スラット３８及び上部スラット４０が例えば第１の開度に設定される。
【００５１】
上記設定とすることにより、冬期の夜間には、室外機１２からの熱の放射Ｄをできるだけ防ぐことができる。換言すれば、熱の放射Ｄを下部スラット３８及び上部スラット４０で室外機１２側へ跳ね返すことができる。これにより、エアコンの熱効率が高められ、省エネ化を図ることができる。
【００５２】
なお、春期及び秋期の中間期等、エアコンを使用しないときには、下部スラット開閉用ツマミ４２、上部スラット開閉用ツマミ４３をそれぞれ操作することにより、図１に示されるように、下部スラット３８及び上部スラット４０が閉止状態とされる。これにより、塵や埃が室外機１２にかかるのを防ぐことができる。
【００５３】
このように本実施形態に係る空調室外機ケース１０によれば、室外機１２の熱効率を向上させることができると共に、外部環境に合わせて空調室外機ケース１０を取り替える必要もないので使い勝手が良い。
【００５４】
また、本実施形態に係る空調室外機ケース１０では、下部スラット開閉用ツマミ４２、上部スラット開閉用ツマミ４３を手動操作することにより下部スラット３８及び上部スラット４０の開度を調節する構成としたので、下部スラット開閉用ツマミ４２、上部スラット開閉用ツマミ４３に付与した操作力を図示しない駆動機構を介して下部スラット３８及び上部スラット４０に機械的に伝達することができる。従って、構造がシンプルになり、故障し難い。
【００５５】
また、本実施形態では、空調室外機ケース１０はコンクリート製の台座２０に緊結されているので、空調室外機ケース１０ごと盗難に遭うことを防止することができる。さらに、空調室外機ケース１０のカバー２８は施錠することができるので、室外機１２のみが単体で盗難されることを防止することができる。加えて、下部スラット３８及び上部スラット４０の裏面には、盗難防止用の鉄製の補強バー５０が取り付けられているので、下部スラット３８及び上部スラット４０が破壊されても、室外機１２を盗み出すことはできない。よって、室外機１２の防犯性を非常に高めることができる。
【００５６】
補足すると、昨今、金属盗が急増しており、その実態は建築現場や資材置場、倉庫等だけでなく、一般住宅のエアコンの室外機（銅線やアルミニウム材入り）にもその被害が顕著になってきている。
【００５７】
なお、カバー２８は支軸３６回りにその全体を開放させることができるので、メンテナンス性は良好に確保される。
【００５８】
〔第２実施形態〕
【００５９】
以下、図７〜図１４を用いて、本発明に係る屋外設置設備用ケースの第２実施形態について説明する。なお、前述した第１実施形態と同一構成部分については、同一番号を付してその説明を省略する。
【００６０】
この第２実施形態では、下部スラット３８及び上部スラット４０を自動制御により開閉するようにした点に特徴がある。また、この第２実施形態で説明する下部スラット３８及び上部スラット４０の駆動機構７６は、前述した第１実施形態の手動タイプにおいても用いられるものである。
【００６１】
図７〜図１０には、本実施形態に係る空調室外機ケース７０における下部スラット３８及び上部スラット４０の幾つかの開度調整例が示されている。例えば、図７は下部スラット３８及び上部スラット４０をいずれも全閉状態（開度０°）にしたときの側方から見た縦断面図であり、又図８は下部スラット３８及び上部スラット４０の開度がいずれもスラット取付面Ｑに対して４５°とされたときの縦断面図であり、更に図９は下部スラット３８及び上部スラット４０の開度がいずれもスラット取付面Ｑに対して９０°とされたときの縦断面図であり、又図１０は下部スラット３８の開度をスラット取付面Ｑに対して１３５°とし、上部スラット４０の開度をスラット取付面Ｑに対して９０°としたときの縦断面図である。
【００６２】
まず、図７〜図１０を用いて、空調室外機ケース７０の下部スラット３８及び上部スラット４０の駆動機構７６の構成を中心に説明する。これらの図に示されるように、各下部スラット３８はその断面形状がＬ字状に形成されており、帯板状に形成されたスラット本体７２と、このスラット本体７２の幅方向の一方の端部から面直角方向（室外機１２方向）に所定量だけ突出された屈曲部（突出部）７４と、によって構成されている。下部スラット３８は、全閉状態（図７図示状態）で上下に隣接する二枚のうちの上段側の下部スラット３８の屈曲部７４が下段側の下部スラット３８のスラット本体７２の幅方向の他方の端部に直角に軽く当接するように、上下方向のピッチが設定されている。なお、上部スラット４０も、下部スラット３８と同様に構成されている。
【００６３】
前述した外枠フレーム３４における下部スラット３８側の側部の裏面側には、駆動機構７６が配設されている。駆動機構７６は、真直棒状の下部トーションバー７８を備えている。下部トーションバー７８は、台座２０に対して垂直に配設されている。下部トーションバー７８の下端部は台座２０の上面より所定高さだけ上方に位置されており、上端部は下部スラット開閉用ギヤホイール８０の外周縁近傍に配置されている。
【００６４】
上記下部トーションバー７８と下部スラット開閉用ギヤホイール８０及び複数の下部スラット３８は、平行リンクによって連結されている。具体的には、下部トーションバー７８は、下部スラット開閉用ギヤホイール８０の略接線方向に移動可能に配置されており、下部トーションバー７８の上端部と下部スラット開閉ツマミ３６とは、リンク８２によって相対回転可能に連結されている。リンク８２の基端部は下部トーションバー７８の上端部に相対回転可能にピン８４で連結されており、リンク８２の先端部は下部スラット開閉ツマミ３８の中心軸８６に回転不能に固定されている。
【００６５】
同様に、下部スラット開閉ツマミ３８の下方に配置された下部スラット３８の長手方向の端部と下部トーションバー７８とが、リンク８８によって相対回転可能に連結されている。リンク８８の基端部は下部トーションバー７８に相対回転可能にピン８４で連結されており、リンク８８の先端部は下部スラット３８の長手方向の端部の中心軸８６に回転不能に固定されている。
【００６６】
なお、上部スラット４０側でも下部スラット３８と同様に構成されており、上部スラット開閉用ギヤホイール９０を回転させることにより、その回転量に比例して上部スラット４０が開度を変更するようになっている。
【００６７】
補足すると、下部スラット開閉用ギヤホイール８０は、前述した第１実施形態の下部スラット開閉用ツマミ４２の替わりに設置されており、又上部スラット開閉用ギヤホイール９０は、前述した第１実施形態の上部スラット開閉用ツマミ４３の替わりに設置されている。
【００６８】
次に、システム構成について説明する。図１１に示されるように、制御装置としてのＣＰＵ１００には、センサ部１０２が接続されている。センサ部１０２は、エアコンのＯＮ／ＯＦＦ情報等をＣＰＵ１００に出力するエアコンセンサ１０６と、日付・時刻情報をＣＰＵ１００に出力するクロックセンサ１０４と、室外機１２の向き情報をＣＰＵ１００に出力する方位センサ１０８と、外気温情報をＣＰＵ１００に出力する検出手段としての温度センサ（１）１１０と、空調室外機ケース７０の上部表面温度情報をＣＰＵ１００に出力する検出手段としての温度センサ（２）１１２と、ケース下部表面温度情報をＣＰＵ１００に出力する検出手段としての温度センサ（３）１１４と、ケース上部スラット角情報をＣＰＵ１００に出力する角度センサ（１）１１６と、ケース下部スラット角情報をＣＰＵ１００に出力する角度センサ（２）１１８と、都道府県レベルの位置情報をＣＰＵ１００に出力する位置センサ１２０と、を備えている。なお、位置センサ１２０には、例えば、ＧＰＳを利用することができる。
【００６９】
一方、ＣＰＵ１００には、動作部１２２が接続されその作動が制御されている。すなわち、動作部１２２は、上部スラット４０を開閉させるための駆動源としての上部スラット回転モータ１２４と、下部スラット３８を開閉させるための駆動源としての下部スラット回転モータ１２６と、を備えている。上部スラット回転モータ１２４は、図示しない減速機構を介して上部スラット開閉用ギヤホイール９０に接続されている。また、下部スラット回転モータ１２６は、図示しない減速機構を介して下部スラット開閉用ギヤホイール８０に接続されている。
【００７０】
そして、ＣＰＵ１００は、エアコンセンサ１０６、クロックセンサ１０４、方位センサ１０８、温度センサ（１）１１０、温度センサ（２）１１２、温度センサ（３）１１４、角度センサ（１）１１６、角度センサ（２）１１８及び位置センサ１２０から入力された各種情報に基づいて、上部スラット回転モータ１２４及び下部スラット回転モータ１２６にモータ制御信号を出力するようになっている。
【００７１】
なお、室外機１２の向き及び都道府県レベルの位置情報は、空調室外機ケース７０の設置時に施工者が手入力してもよく、その場合には方位センサ１０８及び位置センサ１２０はなくてもよい。
【００７２】
（作用・効果）
【００７３】
次に、図１２及び図１３に示される制御フロー及び図１４に示されるスラットの状態図を用いて、本実施形態の作用並びに効果について説明する。
【００７４】
図１２に示されるように、まずステップ２００でエアコンのＯＮ／ＯＦＦが判断される。すなわち、エアコンセンサ１０６からの入力信号に基づいてエアコンが作動状態にあるのか非作動状態にあるのかが判断される。
【００７５】
ステップ２００で否定された場合（即ち、エアコンＯＦＦと判断された場合）には、ステップ２０２に移行し、下部スラット３８及び上部スラット４０はいずれも全閉状態（図７図示状態）に維持される。一方、ステップ２００で肯定された場合（エアコンＯＮと判断された場合）には、ステップ２０４に移行し、クロックセンサ１０４からの入力信号に基づいて現時点が昼間であるのか夜間であるのかが判断される。
【００７６】
＜昼間の制御＞
【００７７】
ステップ２０４で肯定された場合（即ち、昼と判断された場合）には、ケース下部とケース上部とでステップ２０６以降の処理がそれぞれ実行される。なお、ケース下部側での制御とケース上部側での制御は基本的には同様であるので、ここではケース下部側での制御のみを図示し、ケース上部での制御の図示を省略している。
【００７８】
ステップ２０６では、温度センサ（１）１１０及び温度センサ（３）１１４からの入力信号に基づいて、ケース下部の表面温度が外気温よりも高いか低いかが判断される。すなわち、温度センサ（１）１１０によって検出された外気温（Ｔａ）と、温度センサ（３）１１４によって検出されたケース下部の表面温度（Ｔｓ）（なお、ケース下部の表面温度の代わりにケース上部の表面温度を使ってもよい。）との差から昼間日射量及び夜間放射量の大小を下記のように判断する。
【００７９】
Ｔｓ＞Ｔａ  ならば  昼間日射量が大きい。
【００８０】
Ｔｓ＜Ｔａ  ならば  夜間放射量が大きい。
【００８１】
Ｔｓ≒Ｔａ  ならば  昼間日射量及び夜間放射量はいずれも小さい。
【００８２】
そして、ステップ２０６でケース下部の表面温度が低いと判断された場合（即ち、Ｔｓ＜Ｔａの場合）にはステップ２０８に移行し、下部スラット回転モータ１２６が所定回転数だけ駆動され、図１４（Ａ）に示されるように、下部スラット３８のスラット取付面Ｑに対するスラット角が９０°に設定される。すなわち、図７に示される状態において、下部スラット回転モータ１２６が駆動されて、下部スラット開閉用ギヤホイール８０が同図の時計方向へ回転される。そして、リンク８２が同図の時計方向へ回転されて図９に示される状態となった時点で、下部スラット回転モータ１２６が停止される。これにより、風の抵抗が最も小さい状態が得られる。
【００８３】
一方、ステップ２０６でケース下部の表面温度が高いと判断された場合（即ち、Ｔｓ＞Ｔａの場合）にはステップ２１０に移行し、クロックセンサ１０４、方位センサ１０８及び位置センサ１２０からの入力信号に基づいて、太陽高度が算出される。次いで、ステップ２１２に移行し、ステップ２１０の際に取り込んだクロックセンサ１０４からの入力信号を用いて、冷房期か暖房期かが判断される。
【００８４】
ステップ２１２で冷房期と判断された場合には、ステップ２１４に移行し、下部スラット回転モータ１２６が駆動され、図１４（Ｂ）に示されるように、下部スラット３８のスラット角が太陽高度に対して９０°に設定される。これにより、室外機１２が直射日光を受けて温度が高くなるのを抑制することができる。なお、図１４（Ｄ）の右側の図に示されるように、下部スラット３８をスラット取付面Ｑに対してスラット角が３０°未満にならない所定角度に設定してもよい。
【００８５】
ステップ２１２で暖房期と判断された場合には、ステップ２１６に移行し、図１４（Ｃ）に示されるように、下部スラット３８のスラット角は太陽高度に一致される。これにより、日光をダイレクトに室外機１２に照射させることができ、室外機１２が外気で冷却されることを抑制することができる。なお、図１４（Ｄ）の左側の図に示されるように、下部スラット３８をスラット取付面Ｑに対してスラット角が３０°未満にならない所定角度に設定してもよい。
【００８６】
＜夜間の制御＞
【００８７】
次に、前述したステップ２０４で夜間と判断された場合の制御について説明する。図１３に示されるように、夜間の場合には、ケース下部及びケース上部は共通の制御とされる。
【００８８】
最初にステップ２１８で、冷房期か暖房期かが判断される。ステップ２１８で冷房期と判断された場合には、ステップ２２０に移行し、図１４（Ａ）に示されるように、下部スラット３８のスラット角は、９０°とされる。これにより、室外機１２からの放熱が促される。
【００８９】
一方、ステップ２１８で暖房と判断された場合には、ステップ２２２へ移行し、温度センサ（３）１１４からの入力信号に基づき、ケース下部表面温度が外気温よりも高いか低いかが判断される。ステップ２２２でケース下部表面温度が外気温よりも低いと判断された場合（即ち、Ｔｓ＜Ｔａの場合）には、図１４（Ｅ）に示されるように、下部スラット３８のスラット角はスラット取付面Ｑに対して下から３０°に設定される。これにより、室外機１２からの夜間放射が抑制される。
【００９０】
また、ステップ２２２でケース下部表面温度が外気温よりも高いと判断された場合（即ち、Ｔｓ＞Ｔａの場合）には、ステップ２２６へ移行し、図１４（Ａ）に示されるように、下部スラット３８のスラット角は９０°に設定される。
【００９１】
このように本実施形態では、下部スラット３８及び上部スラット４０の開閉制御が自動でなされるので、手動操作する場合に比し、操作者への負担がなく、屋内から操作することも可能であるので、利便性を向上させることができる。
【００９２】
また、本実施形態では、冷房運転時でかつ昼間には、ＣＰＵ１００によって下部スラット３８及び上部スラット４０が日射を遮る方向へ開度が調節される。従って、室外機１２が直射日光を受けて高温になるのを抑制することができる。一方、暖房運転時でかつ昼間には、ＣＰＵ１００によって下部スラット３８及び上部スラット４０は日射を取り込む方向へ移動される。従って、室外機１２は直射日光を受けて温められ、外気に晒されて低温になることが抑制される。従って、室外機１２の熱効率をより向上させることができる。
【００９３】
さらに、冷房運転時でかつ夜間には、ＣＰＵ１００によって下部スラット３８及び上部スラット４０が室外機１２からの放熱を促す方向へ移動される。従って、室外機１２は夜間のうちに充分放熱することができる。
【００９４】
一方、さらに、暖房時でかつ夜間には、ＣＰＵ１００によって下部スラット３８及び上部スラット４０は室外機１２からの放熱を防ぐ方向へ移動される。従って、室外機１２が夜間に外気によって過度に冷却されることを防ぐことができる。
【００９５】
よって、室外機１２の熱効率をより一層向上させることができる。
【００９６】
また、本実施形態では、図１０に示されるように、下部スラット３８についてはその開度を１３５°とし、上部スラット４０についてはその開度を９０°に設定すること、つまり下部スラット３８と上部スラット４０とで別々の開度に設定することも可能である。このため、冷房運転時でかつ昼間には、ＣＰＵ１００によって、下部スラット３８及び上部スラット４０のうち日射が直接当たる部分に配置されたスラットのみが日射を遮る方向へ回動させ、残りのスラットは室外機１２からの放熱を促す方向へ回動させるといったことも可能である。このため、直射日光によって室外機１２が過度に温められることを防ぎつつ、放熱作用も充分に得られる。その結果、本実施形態によれば、室外機１２の熱効率を一段と向上させることができる。
【００９７】
さらに、本実施形態では、下部スラット３８及び上部スラット４０の開閉量制御は、室外機１２を含むエアコンシステムのエアコンスイッチのオン・オフに基づいて行われるので、エアコンスイッチの操作とは別個に下部スラット３８及び上部スラット４０の開閉量制御スイッチを設定する場合に比し、操作の手間が省けると共に下部スラット３８及び上部スラット４０の開閉量制御スイッチの押し忘れがなくなる。
【００９８】
〔本実施形態の補足説明〕
【００９９】
以下に、本実施形態の補足説明をする。
【０１００】
（１）  上述した実施形態では、室外設置設備としてエアコンの室外機１２を例にして説明したが、これに限らず、他の設備でもよい。例えば、給湯設備等に対して本発明を適用してもよい。
【０１０１】
（２）  上述した実施形態では、空調室外機ケース１０が下部スラット３８及び上部スラット４０の両方を備えていたが、これに限らず、屋外設置設備の少なくとも一部がケース本体によって覆われていればよい。従って、下部スラット３８だけを設けた構成でもよいし、上部スラット４０だけを設けた構成でもよい。さらに、空調室外機ケース１０の前面部の一部、上面部の一部のみに下部スラット、上部スラットを設けるようにしてもよい。
【０１０２】
（３）  上述した実施形態の下部スラット３８及び上部スラット４０では、特別な表面処理はしていなかったが、長波吸収率を外側が高く、内側が低くなるように表面処理して更に省エネルギーの効率を上げるようにしてもよい。
【０１０３】
例えば、スラットの断面形状をくの字状にして屈曲点回りに反転可能に外枠フレームに軸支させる。そして、このスラットの内側面にアルミニウム合金やステンレス等の光沢面を施し、光触媒による自己清浄機能を持たせることにより、例えば、夏期の昼間には、直射日光を受けて加熱したスラットから室外機側へ伝熱される輻射熱を低減することができる。また夜間には、スラットの内側面を外側に反転させることにより、周辺地盤や建物に残った熱による輻射を遮蔽し、空調室外機ケース内に残った熱による輻射熱を吸収し、外気に放散することができる。
【０１０４】
（４）  上述した実施形態では、駆動機構７６としてリンク機構を用いたが、これに限らず、スプロケットと無端ベルトを使ってスラットを開閉させるようにしてもよいし、ラックアンドピニオン機構によってスラットを開閉させるようにしてもよい。
【図面の簡単な説明】
【０１０５】
【図１】第１実施形態に係る空調室外機ケースの装着状態の外観斜視図である。
【図２】図１に示される空調室外機ケースのカバー開放状態の外観斜視図である。
【図３】夏期の昼間にエアコンを冷房運転する場合の空調室外機ケースの使用態様を示す外観斜視図である。
【図４】夏期の夜間にエアコンを冷房運転する場合の空調室外機ケースの使用態様を示す外観斜視図である。
【図５】冬期の昼間にエアコンを暖房運転する場合の空調室外機ケースの使用態様を示す外観斜視図である。
【図６】冬期の夜間にエアコンを暖房運転する場合の空調室外機ケースの使用態様を示す外観斜視図である。
【図７】第２実施形態に係る空調室外機ケースの下部スラット及び上部スラットをいずれも全閉状態（開度０°）にしたときの側方から見た縦断面図である。
【図８】下部スラット及び上部スラットの開度がいずれもスラット取付面Ｑに対して４５°とされたときの縦断面図である。
【図９】下部スラット及び上部スラットの開度がいずれもスラット取付面Ｑに対して９０°とされたときの縦断面図である。
【図１０】下部スラットの開度をスラット取付面Ｑに対して１３５°とし、上部スラットの開度をスラット取付面Ｑに対して９０°としたときの縦断面図である。
【図１１】第２実施形態に係る空調室外機ケースの制御システムを示すブロック図である。
【図１２】第２実施形態に係る空調室外機ケースの制御フローを示すフローチャートである。
【図１３】第２実施形態に係る空調室外機ケースの制御フローを示すフローチャートである。
【図１４】スラットの状態図である。
【符号の説明】
【０１０６】
１０      空調室外機ケース（屋外設置設備用ケース）
１２      室外機（屋外設置設備）
２２      側壁部（ケース本体）
３０      背面部（ケース本体）
３８      下部スラット（開閉体）
４０      上部スラット（開閉体）
４２      下部スラット開閉用ツマミ（操作手段）
４３      上部スラット開閉用ツマミ（操作手段）
４６      錠本体（施錠手段）
４８      鍵挿入部（施錠手段）
７０      空調室外機ケース（屋外設置設備用ケース）
７６      駆動機構
１００    ＣＰＵ（制御手段）
１２４    上部スラット回転モータ（駆動源）
１２６    下部スラット回転モータ（駆動源）
【図１】
2010101607.tif 000003
【図２】
2010101607.tif 000004
【図３】
2010101607.tif 000005
【図４】
2010101607.tif 000006
【図５】
2010101607.tif 000007
【図６】
2010101607.tif 000008
【図７】
2010101607.tif 000009
【図８】
2010101607.tif 000010
【図９】
2010101607.tif 000011
【図１０】
2010101607.tif 000012
【図１１】
2010101607.tif 000013
【図１２】
2010101607.tif 000014
【図１３】
2010101607.tif 000015
【図１４】
2010101607.tif 000016